(57)【要約】【課題】  フレームの外部に太陽の光で発電する太陽電池を設け、内部に風力発電で点灯したライトの光で発電するライトを設けた太陽電池を設け、昼も夜も発電をする太陽電池。【解決手段】  風力発電２９に設けた配線３０の端をライト４とライト５につないだ端子１２と端子１３につなぐ。  フレーム１の外部の太陽電池２の端子８と９につないだ配線１８と太陽電池３の端子１０と１１につないだ配線１９と、太陽電池６の端子１４と１５につないだ配線２０を接続箱２１の中でまとめて配線３９につなぎ、配線３９からパワーコンディショナ２２と分電盤２３と買メーター２４と売メーター２５につなぐ。  売メーター２５につないだ配線３１を電力会社の送電線３２と３３につなぐ。【選択図】図７
2013197577.tif 000002
【特許請求の範囲】
【請求項１】
フレームの外部の一端に太陽の光を受光して発電をする太陽電池を設け、フレームの内部の一端に太陽電池と太陽電池の間にライトをはさんでライトの点灯した光を受光して発電する太陽電池を設けて、ライトの光で発電をする太陽電池は昼も夜も発電をすることを特徴とする太陽電池。
【発明の詳細な説明】
【技術分野】
【０００１】  この発明は、太陽光の光を受光して発電をする太陽電池と、風力発電の電気で点灯したライトの光を受光して発電をする太陽電池をフレームに組み合わせて、昼も夜も発電した太陽電池の電気で、家庭で使う電気をまかなえる太陽電池の装置に関するものである。
【背景技術】
【０００２】  従来の太陽電池は、太陽光が太陽電池に照射しないと発電をしなかった。
又、夜間は太陽電池が発電をしないために電力会社の電気を買って家庭内の電化製品を作動させるために不経済だった。
又、曇った日や雨の日は発電量が少なくなったり発電をしなくなったりする欠点があった。
【発明が解決しようとする課題】
【０００３】  太陽の光と、風力発電の電気で点灯したライトの光を個個の太陽電池に照射して、昼も、夜も太陽電池で発電した自前の電気で家庭内で使う電気をまかなうことを目的にして自然のエネルギーを利用した環境にやさしい電気を発電する太陽電池を開発しようとするものである。
【課題を解決するための手段】
【０００４】  いまその構成を説明すると、
イ、図３、フレーム１に背中合せにして外部の一端に太陽電池２を設けて、内部の一端にライト４を設けた太陽電池３を設け、太陽電池２につないだ端子８と端子９と、太陽電池３につないだ端子１０と端子１１と、ライト４につないだ端子１２と端子１３を設ける。
ロ、図５、フタ７の一端にライト５を設けた太陽電池６を設けて、太陽電池６につないだ端子１４と端子１５と、ライト５につないだ端子１６と端子１７を設ける。
ハ、図６、フレーム１にフタ７をはめると、ライト４を設けた太陽電池３とライト５を設けた太陽電池６は向い合い、ライト４とライト５を太陽電池３と太陽電池６がはさみ、太陽電池３と太陽電池６をフレーム１の中に密封する。
ニ、配線３７を端子１２と端子１６につないで、配線３８を端子１３と端子１７につないでライト４とライト５に電流が流れるように設定する。
ホ、図７、屋根に設置した太陽電池３のライトの端子１２と、端子１３に風力発電２９に設けた配線３０の端の＋と−を接続する。
ヘ、太陽電池２の端子８と９に接続した配線１８の端を接続箱２１の中で配線３９の＋と−に接続する。
ト、太陽電池３の端子１０と１１に接続した配線１９の端を接続箱２１の中で配線３９の＋と−に接続する。
チ、太陽電池６の端子１４と１５に接続した配線２０の端を接続箱２１の中で配線３９の＋と−に接続する。
リ、配線３９をパワーコンディショナ２２と分電盤２３と買メーター２４と売メーター２５の＋と−に接続する。
ヌ、ライトの端子１６と端子１７につないだ配線２７を分電盤２３の＋と−に接続する。
ル、接続箱２１から引いた配線２６を電極３５と電極３６に接続してバッテリー２８に付ける。
ヲ、売メーター２５の＋と−に接続した配線３１の端を電力会社の送電線３２と３３に接続する。
以上のように装置する。
【発明の実施と形態】
【０００５】  外部に太陽電池２と内部にライト４を設けた太陽電池３を背中合わせにして設けたフレーム１にフタ７をはめてライト４を設けた太陽電池３とライト５を設けた太陽電池６を向い合わせにして設置してフレーム１を密封して、昼は太陽の光で発電した太陽電池２の直流の電気と、風力発電の電気で点灯したライト４と５の光で発電した太陽電池３と太陽電池６の直流の電気を接続箱２１の中でまとめて配線３９に通し、配線３９からパワーコンディショナ２２に直流の電気を通すと交流の電気に変換されて分電盤に送られて、分電盤２３から家庭内の電化製品に交流の電気を分配する。
家庭内の電化製品に使って余った電気は、配線６を通してバッテリー２８に蓄電をして、蓄電してもなお余った電気は売メーター２５に接続した配線３１を通して送電線３２と送電線３３に送り、電力会社に売る。
夜は、風力発電の電気で点灯したライト４とライト５の光を太陽電池３と太陽電池６に照射して発電した直流の電気を接続箱２１でまとめて配線３９に通して、パワーコンディショナ２２に送り直流の電気を交流の電気に変換して分電盤２３に送り、分電盤２３から家庭内の電化製品に交流の電気を分配する。
余った電気は分電盤２３からパワーコンディショナ２２を通して交流の電気を直流の電気に変換して接続箱２１から配線２６を通してバッテリー２８に送り蓄電する。蓄電してもなお余った電気は売メーター２５に接続した配線３１を通して送電線３２と３３に送り、電力会社に売る。
風力発電２９が発電をしないときは、バッテリー２８に蓄電した電気を配線２６を通して接続箱２１につないだ配線３９に送り、パワーコンディショナ２２で直流の電気を交流の電気に変換して分電盤２３に送り、配線２７につないだ端子１６と１７に流した交流の電気でライト４とライト５を点灯した光を太陽電池３と太陽電池６に照射して発電をする。
【発明の効果】
【０００６】  太陽の光と風力発電の電気で点灯したライトの光で発電する太陽電池は、昼も夜も発電をして家庭で使う電気を一日中まかなうことが出来るために電力会社の電気を買わなくても良い。
太陽の光と風力発電の電気でライトを点灯した光で発電する太陽電池は、自然のエネルギーだけで発電をするために環境汚染はしない。
ライトの光を受光して発電する太陽電池は室内に設置しても発電をすることが出来、狭い面積に設置しても太陽電池を数多く重ねて設置して発電量をふやすことも出来る。
風が無くて風力発電が作動しないときは、バッテリーに蓄電した電気を使って点灯したライトの光をライトの光で発電する太陽電池に照射して発電することが出来る。
バッテリーに蓄電した直流の電気をパワーコンディショナを通して交流の電気に変換して分電盤から直接家庭内の電化製品に分配してバッテリーに蓄電した電気を家庭内の電化製品に使うことが出来る。
フレームの内部に設けた太陽電池３と太陽電池６は、雨やほこりよけの防風ガラスを設けなくて良いために、防風ガラスにライトの光が反射する反射ロスが無くなり、太陽電池に照射したライトの光を全部受光して発電をする出力を上げることが出来る。
フレームの内部に向い合わせて設置したライトを設けた太陽電池は、ライトを付けた太陽電池と向いの太陽電池がおたがいにライトの光を照らし合うためにおのおのの太陽電池が二重のライトの光を受光して発電をする効率を上げることが出来る。
太陽電池と太陽電池の間にライトをはさんでライトの光で発電する太陽電池は、太陽の光で発電する太陽電池と同じ面積に設置すると倍の面積の太陽電池にライトの光を照射して発電をすることが出来る効果がある。
【本発明は次のようなことが出来る】
図１１、透明な基盤４０にライト４１を無数にうめこんだ透明な基盤４０を、フレーム１の内部に設けた太陽電池３と太陽電池６の間にはさんで、ライト４１の光と透明な基盤が発光した光を両方の太陽電池に照射して太陽電池３と太陽電池６を発電することが出来る。
図８、日中、家庭で使う電気の消費が少ないときに、太陽電池２の太陽光で発電した電気をバッテリー２８に蓄電して、電気の消費が多い夜バッテリー２８に蓄電した電気を使ってライト４とライト５を点灯して太陽電池３と太陽電池６が発電した電気を家庭内の電化製品に使う。
太陽電池を発電させる光源を消費電力が少なくて高光度の光を発光するＬＥＤライトを使用することも出来る。
図１２、背中合わせに設けた太陽電池２と太陽電池３をフレーム１の外部と内部に設けて、鏡面に作ったフタ７の一端に無数のライトを設けたフタ７をフレーム１にはめて、風力発電２９の電気でライト５の点灯した光とフタに反射した光を重ねて太陽電池３に照射して昼も夜も太陽電池３の発電した電気を家庭の電化製品に使うことが出来る。
又、ライトの光で発電する太陽電池はメガソーラー発電所にも活用出来る。
フレーム内に密封して設けたライトの光は外部に光がもれるようなことはない。
【図面の簡単な説明】
【図１】  本発明の平面図
【図２】  本発明の平面図
【図３】  本発明の側面図
【図４】  本発明の平面図
【図５】  本発明の側面図
【図６】  本発明の側面図
【図７】  本発明の一部カットした左側面図
【図８】  本発明の一部カットした左側面図
【図９】  本発明の平面図
【図１０】  本発明の側面図
【図１１】  本発明の側面図
【図１２】  本発明の一部カットした左側面図
【符号の説明】１、フレーム
２、太陽電池
３、太陽電池
４、ライト
５、ライト
６、太陽電池
７、フタ
８、端子
９、端子
１０、端子
１１、端子
１２、端子
１３、端子
１４、端子
１５、端子
１６、端子
１７、端子
１８、配線
１９、配線
２０、配線
２１、接続箱
２２、パワーコンディショナ
２３、分電盤
２４、買メーター
２５、売メーター
２６、配線
２７、配線
２８、バッテリー
２９、風力発電
３０、配線
３１、配線
３２、送電線
３３、送電線
３４、電柱
３５、電極
３６、電極
３７、配線
３８、配線
３９、配線
４０、透明基盤
４１、ライト
４２、配線
４３、端子
４４、端子
【図１】
2013197577.tif 000003
【図２】
2013197577.tif 000004
【図３】
2013197577.tif 000005
【図４】
2013197577.tif 000006
【図５】
2013197577.tif 000007
【図６】
2013197577.tif 000008
【図７】
2013197577.tif 000009
【図８】
2013197577.tif 000010
【図９】
2013197577.tif 000011
【図１０】
2013197577.tif 000012
【図１１】
2013197577.tif 000013
【図１２】
2013197577.tif 000014